(57)【要約】【課題】励磁コイルに通電するために必要な各種部品を備えた端子箱を、電磁弁に簡単な構成により確実かつ着脱式に取り付けられるようにする。【解決手段】電磁弁１に、端子箱２を取り付けるための第１取付面１Ｃ及び第２取付面１Ｄを設け、第１取付面１Ｃには、励磁コイル１９のコイル端子３６が収容された端子孔３７と、固定ねじ３８を螺着するねじ孔３９とを形成し、第２取付面１Ｄには、フック４５ｄを備えた弾性クリップ４５を設ける。一方の端子箱２は、略Ｌ字形に形成して、第１部分２Ａに、上記端子孔３７内に嵌入してコイル端子３６に接続される接続端子５８と、これらの接続端子５８に導通する受電端子６２を備えたコネクタ６１とを設け、さらに、表示ランプ５４及び電子部品５５を搭載したプリント基板５３を透明樹脂５６内に封入して設け、第２部分２Ｂには、上記弾性クリップ４５のフック４５ｄが係止する係止孔６９を設ける。【選択図】　　　　図１
2004108446.tif 000002
【特許請求の範囲】
【請求項１】
励磁コイルへの通電により弁部材を駆動して流体流路を切り換える電磁弁と、該電磁弁に着脱可能に取り付けられた端子箱とを有し、
上記電磁弁は、上記端子箱を取り付けるための互いに隣接しかつ直交する第１取付面及び第２取付面を有していて、第１取付面には、上記励磁コイルと導通するコイル端子が収容された複数の端子孔と、上記端子箱用の固定ねじを螺着するねじ孔とが設けられ、また第２取付面には、上記端子箱を係止させるためのフックを備えた弾性クリップが設けられており、
上記端子箱は、略Ｌ字形に折れ曲がった形に形成されていて、上記電磁弁の第１取付面を覆う第１部分と、第２取付面を覆う第２部分とを有し、上記第１部分には、上記端子孔内に嵌入してコイル端子に接続される複数の接続端子と、これらの接続端子に導通する複数の受電端子を備えたコネクタと、上記固定ねじを挿通するためのねじ挿通孔とが設けられ、また第２部分には、上記弾性クリップのフックが係止する係止孔が設けられている、
ことを特徴とする端子箱付電磁弁。
【請求項２】
上記端子箱の第１部分が電磁弁の第１取付面全体を覆い、第２部分が第２取付面全体を覆っていることを特徴とする請求項１に記載の端子箱付電磁弁。
【請求項３】
上記端子箱の第１部分に、上記受電端子と接続端子とを導通させるプリント基板と、上記接続端子の回りを取り囲むガスケットとが収容されていて、上記プリント基板は、搭載した表示ランプ及び電子部品と共に透明樹脂内に封入され、また上記ガスケットは、上記電磁弁の端子孔の回りに圧接されることによって該端子孔をシールしており、さらに、上記端子箱における表示ランプとの対応位置には、透明樹脂を通して該表示ランプを観察するための表示窓が設けられていることを特徴とする請求項１又は２に記載の端子箱付電磁弁。
【請求項４】
上記電磁弁における第１取付面の一部が、上記励磁コイルを覆う磁気枠兼用の磁性体カバーにより形成され、また、上記コネクタが接地端子を有していて、該接地端子が、導電ばねを介して上記磁性体カバーに接触していることを特徴とする請求項１から３までの何れかに記載の端子箱付電磁弁。
【請求項５】
上記弾性クリップが、電磁弁の第２取付面にクリップホルダを介して着脱自在に取り付けられていることを特徴とする請求項１から４までの何れかに記載の端子箱付電磁弁。
【発明の詳細な説明】
【０００１】
【発明の属する技術分野】
本発明は、励磁コイルに通電するための端子箱を備えた端子箱付電磁弁に関するものである。
【０００２】
【従来の技術】
一般に電磁弁は、流体流路を切り換える弁部材を備えた弁主体部と、励磁コイル及び可動鉄心を備えた電磁操作部とを備えていて、該電磁操作部の励磁コイルに通電することにより上記可動鉄心を動作させ、この可動鉄心によって上記弁部材を直接駆動するか、あるいは他の部材を介して間接的に駆動するように構成されている。そして、上記励磁コイルに通電するため、電磁弁の適宜位置には受電用のコネクタが設けられ、このコネクタと、上記励磁コイルから延出するコイル端子とが、色々な方法で接続されている。
【０００３】
例えば、特許文献１には、電磁弁のソレノイド部の外面にカバーを固定して、このカバーにケースを取り付けることにより端子箱を形成し、この端子箱内に電子部品が搭載されたプリント基板を収容すると共に、このプリント基板に給電用のコネクタを設けたものが開示されている。また、特に図示されていないが、励磁コイルから延出するコイル端子は、上記カバーを貫通してケース内に延出し、上記プリント基板に電気接続されている。
このように、従来の電磁弁においては、一般に、複数の部材を順次弁ボディに取り付けることにより端子箱を組み立て、この端子箱内にプリント基板等を収容して、このプリント基板を介してコイル端子とコネクタとを接続するようにしているため、複数の独立する部品を取り扱わなければならず、組み立て作業等が比較的煩雑であった。
【０００４】
【特許文献１】
実用新案登録第２６０７６７０号公報（段落００１４、図１）
【０００５】
【発明が解決しようとする課題】
本発明の技術的課題は、励磁コイルに通電するために必要な各種部品を備えた端子箱を、電磁弁に簡単な構成により確実かつ着脱式に取り付けられるようにすることにある。
【０００６】
【課題を解決するための手段】
上記課題を解決するため、本発明の端子箱付電磁弁は、励磁コイルへの通電により弁部材を駆動して流体流路を切り換える電磁弁と、該電磁弁に着脱可能に取り付けられた端子箱とを有し、上記電磁弁は、上記端子箱を取り付けるための互いに隣接しかつ直交する第１取付面及び第２取付面を有していて、第１取付面には、上記励磁コイルと導通するコイル端子が収容された複数の端子孔と、上記端子箱用の固定ねじを螺着するねじ孔とが設けられ、また第２取付面には、上記端子箱を係止させるためのフックを備えた弾性クリップが設けられており、上記端子箱は、略Ｌ字形に折れ曲がった形に形成されていて、上記電磁弁の第１取付面を覆う第１部分と、第２取付面を覆う第２部分とを有し、上記第１部分には、上記端子孔内に嵌入してコイル端子に接続される複数の接続端子と、これらの接続端子に導通する複数の受電端子を備えたコネクタと、上記固定ねじを挿通するためのねじ挿通孔とが設けられ、また第２部分には、上記弾性クリップのフックが係止する係止孔が設けられていることを特徴としている。
【０００７】
本発明は上記構成を有しているので、上記端子箱の第１部分を電磁弁の第１取付面上に押し当て、上記第１部分上の接続端子を第１取付面上の端子孔内に挿入させてコイル端子に接続すると共に、端子箱の第２部分に形成された係止孔を電磁弁の第２取付面の弾性クリップに係止させ、その状態で、上記第１部分を第１取付面に固定ねじで固定することにより、上記端子箱を電磁弁に取り付けることができる。また、上記固定ねじを取り外して弾性クリップの係止を解除するだけで、端子箱全体を電磁弁から簡単に取り外すことができる。さらに、上記端子箱を略Ｌ字形に折れ曲がった形に形成し、第１部分に接続端子やコネクタといった電磁弁との電気接続に必要な部品を取り付け、第２部分に電磁弁との係止に必要な機構を設けるようにしたので、該端子箱を非常に簡単で合理的な設計構造とすることができる。
【０００８】
本発明においては、上記端子箱の第１部分が電磁弁の第１取付面全体を覆い、第２部分が第２取付面全体を覆っていることが望ましい。
【０００９】
本発明の具体的な構成態様によれば、上記端子箱の第１部分に、上記受電端子と接続端子とを導通させるプリント基板と、上記接続端子の回りを取り囲むガスケットとが収容されていて、上記プリント基板は、搭載した表示ランプ及び電子部品と共に透明樹脂内に封入され、また上記ガスケットは、上記電磁弁の端子孔の回りに圧接されることによって該端子孔をシールしており、さらに、上記端子箱における表示ランプとの対応位置には、透明樹脂を通して該表示ランプを観察するための表示窓が設けられている。
【００１０】
このように、プリント基板と表示ランプ及び電子部品を全体として透明樹脂内に封入すると共に、接続端子が嵌入する端子孔の回りをガスケットでシールするようにしたので、非常に簡単な構成によって端子箱の気密性と電気絶縁性、及び電気接続部分の気密性を高めることができる。
【００１１】
本発明の他の具体的な構成態様によれば、上記電磁弁における第１取付面の一部が、上記励磁コイルを覆う磁気枠兼用の磁性体カバーにより形成され、また、上記コネクタが接地端子を有していて、該接地端子が、導電ばねを介して上記磁性体カバーに接触している。
【００１２】
本発明においては、上記弾性クリップが、電磁弁の第２取付面にクリップホルダを介して着脱自在に取り付けられていることが望ましい。
【００１３】
【発明の実施の形態】
図１は本発明に係る端子箱付電磁弁の代表的な一実施形態を示すもので、図中１が電磁弁、２がこの電磁弁に着脱可能に取り付けられた端子箱２である。
上記電磁弁１は、３ポート式の直動形電磁弁であって、流体流路を切り換えるための弁部材８を備えた弁主体部１Ａと、上記弁部材を駆動する電磁操作部１Ｂとを備えている。
【００１４】
上記弁主体部１Ａは、矩形断面を有するハウジング４を有している。このハウジング４の一側面には、供給ポートＰ、出力ポートＡ、及び排出ポートＲが設けられ、ハウジング４の内部には、これらの各ポートＰ，Ａ，Ｒが連通する弁室５と、該弁室５内の上記供給ポートＰが連通する位置に形成された供給弁座６と、上記排出ポートＲが連通する位置に形成された排出弁座７とが設けられている。これらの弁座６，７は、弁室５内の互いに相対する位置に設けられていて、該弁室５内には、これらの弁座６，７を選択的に開閉するポペット式の上記弁部材８が設けられると共に、該弁部材８を排出弁座７側に向けて弾発する弁ばね９が、該弁部材８と弁座ブロック１０との間に介設されている。この弁座ブロック１０は、円柱状をした部材であって、ハウジング４の軸線方向の一端面に形成された取付孔内に嵌着されることによって上記弁室５の一端側を区画しており、この弁座ブロック１０に、上記供給ポートＰを弁室５に連通させる通孔１３と、上記供給弁座６とが設けられている。
【００１５】
図中１４は、上記弁座ブロック１０の外周に取り付けられたシール部材、１５は、該弁座ブロック１０を取付状態に固定するためのブロック押えである。
【００１６】
また、上記電磁操作部１Ｂは、鉄心孔１８ａを中心に備えた非磁性体製のボビン１８と、このボビン１８の外周に巻いた電線からなる励磁コイル１９と、上記ボビン１８及び励磁コイル１９を覆う角筒形をした磁性体カバー２０と、上記鉄心孔１８ａ内に軸線方向に変移自在に収容された磁性体製の可動鉄心２１とを有している。上記鉄心孔１８ａと可動鉄心２１とは、円形断面を有するものであっても、長円形断面を有するものであっても良い。
【００１７】
上記磁性体カバー２０は、磁気枠を兼ねるもので、上記ボビン１８の軸線方向の一端面を覆う端板部２０ａと、上記ボビン１８及び励磁コイル１９の側面外周を取り囲むスカート部２０ｂとを有し、上記端板部２０ａが固定鉄心を兼ねている。この磁性体カバー２０の内部には、鉄心孔を備えた環状の磁気プレート２２が、上記ボビン１８の他端面側に当接するように配設され、溶接等の手段で該磁性体カバー２０に固定されている。そして、上記スカート部２０ｂの開放端を上記弁主体部１Ａのハウジング４の端部に嵌着し、該スカート部２０ｂの端部に設けたフック２０ｃをハウジング４の側面の凹部４ａに弾力的に係止させることにより、上記電磁操作部１Ｂが弁主体部１Ａに連結されている。
【００１８】
上記ハウジング４の端面には凹部からなる鉄心室２５が形成されていて、上記可動鉄心２１の先端が、上記磁気プレート２２を貫通してこの鉄心室２５内に延出している。そして、該可動鉄心２１の先端部外周には合成樹脂製のキャップ２６が取り付けられ、このキャップ２６と上記磁気プレート２２との間に、該可動鉄心２１を端板部２０ａから離間する方向に向けて弾発する鉄心ばね２７が設けられている。
【００１９】
また、上記ハウジング４には、上記鉄心室２５と弁室５とを結ぶ複数のガイド孔２８が形成され、これらのガイド孔２８内に、両端が上記鉄心室２５と弁室５とに延出する複数のプッシュロッド２９が変移自在に挿通されている。これらのプッシュロッド２９は、弁部材８を保持する合成樹脂製の弁ホルダ３０と一体に形成されていて、各プッシュロッド２９の先端が鉄心室２５内に延出して可動鉄心２１の端面に当接している。しかし、各プッシュロッド２９を上記弁ホルダ３０とは独立に形成し、それぞれの両端を上記可動鉄心２１と弁部材８とに当接させても良い。これらのプッシュロッド２９は、上記可動鉄心２１の動きを弁部材８に伝えて該弁部材８を切り換えるもので、該可動鉄心２１が図１のように端板部２０ａから離間した前進位置にあるときは、弁部材８がこれらのプッシュロッド２９に押されて排出弁座７を開放すると共に供給弁座６を閉鎖し、上記可動鉄心２１が端板部２０ａに吸着されて後退すると、上記プッシュロッド２９も後退して弁部材８の押圧が解除されることにより、該弁部材８が弁ばね９の弾発力で変移し、上記供給弁座６を開放して排出弁座７を閉鎖するようになっている。
【００２０】
上記構成を有する電磁弁１において、励磁コイル１９が非通電状態である場合は、図１に示すように、可動鉄心２１が鉄心ばね２７の弾発力により押されて端板部２０ａから離間した前進位置を占めるため、該可動鉄心２１によりプッシュロッド２９を介して弁部材８が押され、該弁部材８は、排出弁座７を開放して供給弁座６を閉鎖する。このため、供給ポートＰが閉じられ、出力ポートＡと排出ポートＲとが連通する。また、上記励磁コイル１９に通電すると、上記可動鉄心２１が端板部２０ａに吸着されて後退することにより、上記プッシュロッド２９による弁部材８の押圧が解除されるため、該弁部材８は、弁ばね９の弾発力で変移し、上記供給弁座６を開放して排出弁座７を閉鎖する。このため、排出ポートＲが閉じられ、供給ポートＰと出力ポートＡとが連通する。
なお、上記鉄心孔１８ａ及び鉄心室２５はシール部材３１で外部と遮断されているため、上記鉄心室２５と弁室５とがガイド孔２８で連通していても、なんら問題はない。
【００２１】
上記励磁コイル１９への通電は、上記端子箱２を介して行われるもので、この端子箱２の具体的構成と電磁弁１に対する取付構造は、以下に詳述する通りである。
即ち、図２からも分かるように、上記電磁弁１は、上記端子箱２を取り付けるための互いに隣接しかつ直交する実質的に平らな第１取付面１Ｃ及び第２取付面１Ｄを有している。このうち第１取付面１Ｃは、上記ハウジング４の各ポートが設けられている面とは反対側の側面に形成されていて、該ハウジング４の側面全体と、上記電磁操作部１Ｂにおける磁性体カバー２０の側面全体とに跨がって延びている。そして、該第１取付面１Ｃには、上記ハウジング４の側面部分に、上記励磁コイル１９と導通する２つのコイル端子３６，３６が個別に収容された２つの端子孔３７，３７と、上記端子箱用の固定ねじ３８が螺着される１つのねじ孔３９と、該端子箱２の位置決めを行うための位置決め孔４０と、端子箱付電磁弁をマニホールド等に取り付けるための取付ねじ４１が挿通される２つの取付孔４２，４２とが設けられている。
【００２２】
上記２つの端子孔３７，３７は、上記ハウジング４における電磁操作部１Ｂ寄りの位置に、該ハウジング４の幅方向に間隔をおいて並設されている。また、上記ねじ孔３９は、上記ハウジング４における上記電磁操作部１Ｂとは反対側の位置の中央に設けられている。更に、上記２つの取付孔４２，４２は、上記端子孔３７，３７とねじ孔３９との間の位置に設けられ、上記位置決め孔４０は、これら２つの取付孔４２，４２の間に設けられている。
上記コイル端子３６，３６は、上記磁気プレート２２を電気絶縁状態に貫通してハウジング４側に向けて延出し、該ハウジング４の端面に設けた導孔を通じて上記端子孔３７，３７の位置まで延びている。
【００２３】
また、上記第２取付面１Ｄは、上記磁性体カバー２０の端板部２０ａの外面に形成され、この第２取付面１Ｄに、弾性クリップ４５がクリップホルダ４６を介して着脱自在に取り付けられている。
【００２４】
上記弾性クリップ４５は、合成樹脂で一体に成形されたもので、ベース４５ａと、該ベース４５ａの上面中央部から立ち上がった支柱４５ｂと、該支柱４５ｂの上端からＵ字形に分岐したあとそれぞれの先端が上記ベース４５ａ近くまで延びる、左右２つの弾性を持った係止アーム４５ｃ，４５ｃと、これらの係止アーム４５ｃ，４５ｃの下端部外側面にそれぞれ設けられたフック４５ｄ，４５ｃとを有している。
【００２５】
上記クリップホルダ４６は、金属等の硬質素材により形成されたもので、上記第２取付面１Ｄに溶接等により固定されたベース４６ａと、該ベース４６ａの左右両側縁から直角に立ち上がった２つの保持アーム４６ｂ，４６ｂとを有している。そして、上記弾性クリップ４５の係止アーム４５ｃ，４５ｃの部分を、上記クリップホルダ４６の下端側から２つの保持アーム４６ｂ，４６ｂ間に挿入し、上記フック４５ｄ，４５ｃを保持アーム４６ｂ，４６ｂの端部の切込み４６ｃ，４６ｃ内に嵌合させることにより、該弾性クリップ４５が上記クリップホルダ４６に着脱自在に保持されている。
【００２６】
上記端子箱２は、略Ｌ字形に折れ曲がった形に形成されていて、上記電磁弁１の第１取付面１Ｃのほぼ全体を覆う第１部分２Ａと、第２取付面１Ｄのほぼ全体を覆う第２部分２Ｂとを有している。図３及び図４からも分かるように、上記第１部分２Ａは、溝形又はそれに類する断面形状をなすもので、上壁部２ａと、該上壁部２ａの左右両側縁から直角に延出する側壁部２ｂ，２ｂとを有している。そして、該第１部分２Ａの内部には、表示ランプ５４やその他の必要な電子部品５５を搭載したプリント基板５３が、これらの表示ランプ５４及び電子部品５５と共に透明樹脂５６内に全体を封入された状態で収容されている。
【００２７】
上記プリント基板５３には、端子ホルダ５７が、その一部を上記透明樹脂５６内に埋め込まれた形で取り付けられていて、この端子ホルダ５７に、２つの接続端子５８，５８が、上記プリント基板５３に電気接続された状態で保持されると共に、これらの接続端子５８，５８の回りを取り囲む細長い直方体状をしたガスケット５９が設けられている。上記接続端子５８，５８は、上記電磁弁１の端子孔３７，３７内に嵌合して上記コイル端子３６，３６に接続されるものであり、また、上記ガスケット５９は、上記電磁弁１の端子孔３７，３７の回りのシール面３４に圧接されることによって該端子孔３７，３７の回りをシールするものである。
【００２８】
上記端子箱２の第１部分２Ａにおける上壁部２ａの上面には、２つの受電端子６２，６２と１つの接地端子６３とを有するコネクタ６１が設けられている。上記受電端子６２，６２の基端部は、上記透明樹脂５６内に埋め込まれて上記プリント基板５３に導通することにより、このプリント基板５３を介して上記接続端子５８，５８に電気接続されている。また、上記接地端子６３の基端部は、上記透明樹脂５６及びプリント基板５３を貫通して第１部分２Ａの内部に延出し、該基端部に、上記磁性体カバー２０の外側面に接触する導電ばね６４が取り付けられている。
【００２９】
更に、上記第１部分２Ａの先端寄りの位置には、上記ハウジング４に当接する部分に、肉厚の端壁部２ｃが設けられ、この端壁部２ｃに、上記固定ねじ３８を挿通するためのねじ挿通孔６６と、上記取付ねじ４１を挿通するためのねじ挿通孔６７と、上記位置決め孔４０に嵌合する位置決め用の突起６８とが設けられている。
【００３０】
一方、上記端子箱２の第２部分２Ｂは、上記第１部分２Ａと同様の溝形又はそれに類する断面形状をなしていて、上壁部２ａと、該上壁部２ａの左右両側縁から直角に立ち上がった側壁部２ｂ，２ｂとを有し、これら両側壁部２ｂ，２ｂの端部に、上記弾性クリップ４５のフック４５ｄ，４５ｄが嵌合して係止する係止孔６９，６９が設けられている。
【００３１】
また、上記端子箱２における上記表示ランプ５４と対応する位置には、透明の表示窓７１が設けられ、この表示窓７１から透明樹脂５６を通して上記表示ランプ５４を観察できるようになっている。
【００３２】
上記端子箱２を電磁弁１に取り付けるときは、該端子箱２の第１部分２Ａを電磁弁１の第１取付面１Ｃ上に上方から載置して強く押し付けるようにする。すると、上記位置決め用の突起６８が電磁弁１の位置決め孔４０内に嵌合して該端子箱２が位置決めされると共に、上記接続端子５８，５８が端子孔３７，３７内に嵌合してコイル端子３６，３６に接続される。更に、端子箱２の第２部分２Ｂの係止孔６９，６９内に、電磁弁１の第２取付面１Ｄに設けられた弾性クリップ４５のフック４５ｄ，４５ｄが弾力的に嵌合、係止する。そこで、上記第１部分２Ａを固定ねじ３８で第１取付面１Ｃに固定することにより、該端子箱２が電磁弁１に取り付けられる。このとき、上記ガスケット５９は、上記電磁弁１の端子孔３７，３７の回りのシール面３４に圧接されることによって該端子孔３７，３７をシールし、上記接地端子６３の基端部に取り付けられた導電ばね６４が、上記磁性体カバー２０の外側面に接触する。
【００３３】
上記端子箱２を電磁弁１から取り外すときは、上記固定ねじ３８を取り外して弾性クリップ４５の係止を解除するだけで、端子箱２全体を電磁弁１から簡単に取り外すことができる。
【００３４】
このように、上記端子箱２を略Ｌ字形に折れ曲がった形に形成して、その第１部分２Ａに、接続端子５８，５８やコネクタ６１、それらを電気接続するプリント基板５３といったような、電磁弁１との電気接続に必要な部品を取り付け、第２部分２Ｂには、上記電磁弁１との係止に必要な機構を設けることにより、該端子箱２を非常に簡単で合理的な設計構造とすることができると共に、電磁弁に簡単な操作で着脱自在に取り付けることができる。特に、電磁弁の一つの取付面だけに真っ直ぐな形の端子箱を取り付ける場合には、この端子箱に、電磁弁との電気接続に必要な部品と、電磁弁との係止に必要な機構とを同時に設けなければならないため、どうしても端子箱が大きくなりがちで、小形の電磁弁への適用が困難になり易いが、端子箱２及び電磁弁１を上述したように構成することにより、このような問題を簡単に解消することができる。
【００３５】
また、上記プリント基板５３と表示ランプ５４及び電子部品５５を全体として透明樹脂５６内に封入すると共に、接続端子５８，５８が嵌入する端子孔３７，３７の回りをガスケット５９でシールすることにより、非常に簡単な構成によって上記端子箱２の気密性と電気絶縁性、及び電気接続部分の気密性を高めることができる。
【００３６】
上記実施例では、３ポート式の直動形電磁弁が示されているが、電磁弁の形態はこのようなものに限定されない。例えば、２ポート式や４ポート式あるいは５ポート式であっても良く、操作方式も直動形に限らず、パイロット形であっても良い。
また、上記端子箱２の第１部分２Ａ及び第２部分２Ｂが、電磁弁１の第１取付面１Ｃ及び第２取付面１Ｄの全体を覆うように構成されているが、必ずしも各取付面の全体を覆う必要はなく、部分的に覆うように構成されていても良い。
【００３７】
【発明の効果】
このように本発明によれば、端子箱を略Ｌ字形に折れ曲がった形に形成し、第１部分に電磁弁との電気接続に必要な部品を取り付け、第２部分に電磁弁との係止に必要な機構を設けるようにしたので、該端子箱を非常に簡単で合理的な設計構造とすることができると共に、電磁弁に簡単な操作で着脱式に取り付けることができる。
【図面の簡単な説明】
【図１】本発明に係る端子箱付電磁弁の一実施例を示す組立状態の断面図である。
【図２】図１の端子箱付電磁弁を分解して示す斜視図である。
【図３】端子箱を斜め下方から見た斜視図である。
【図４】図３の端子箱を分解して示す斜視図である。
【符号の説明】
１　　　電磁弁
１Ｃ　　　第１取付面
１Ｄ　　　第２取付面
２　　　端子箱
２Ａ　　　第１部分
２Ｂ　　　第２部分
８　　　弁部材
１９　　　励磁コイル
２０　　　磁性体カバー
３６　　　コイル端子
３７　　　端子孔
３８　　　固定ねじ
３９　　　ねじ孔
４５　　　弾性クリップ
４５ｄ　　　フック
４６　　　クリップホルダ
５３　　　プリント基板
５４　　　表示ランプ
５５　　　電子部品
５６　　　透明樹脂
５８　　　接続端子
５９　　　ガスケット
６１　　　コネクタ
６２　　　受電端子
６３　　　接地端子
６４　　　導電ばね
６６　　　ねじ挿通孔
６９　　　係止孔
７１　　　表示窓
【図１】
2004108446.tif 000003
【図２】
2004108446.tif 000004
【図３】
2004108446.tif 000005
【図４】
2004108446.tif 000006